(57)【要約】【課題】容易に操作することができるマッサージ機の操作装置を提供する。【解決手段】マッサージ機は、複数の手技を組み合わせて動作する機能を有する。コントローラー６０は、操作部７０および表示部８０を有する。操作部７０は、複数のアイコン８３〜８７の１つを選択アイコンとして選択する右選択ボタン７５Ｒおよび左選択ボタン７５Ｌを有する。表示部８０は、複数の手技のそれぞれに対応する複数のアイコン８３〜８７を表示する。また、複数の手技のうちの組み合わせが可能な手技の組を手技組として、選択アイコンが含まれる１つの手技組を構成するアイコン８３〜８７を点灯し、同手技組を構成しないアイコン８３〜８７を消灯する。【選択図】図３
2013066525.tif 000002
【特許請求の範囲】
【請求項１】
複数の手技を組み合わせて動作する機能を有するマッサージ機の操作装置において、
前記複数の手技のそれぞれに対応する複数の手技記号を有し、かつこの複数の手技記号を表示する表示部を含むこと、
前記複数の手技記号の１つを選択する手技選択部を含むこと、
ならびに、前記複数の手技のうちの組み合わせが可能な手技の組を手技組とし、前記手技選択部が選択する前記手技記号を選択記号とし、前記選択記号に対応する前記手技を含む前記手技組の１つを選択手技組として、前記表示部は、前記選択手技組を構成する１または複数の前記選択記号を第１表示状態により表示し、前記選択手技組を構成しない１または複数の前記選択記号を第２表示状態とすること
を特徴とするマッサージ機の操作装置。
【請求項２】
請求項１に記載のマッサージ機の操作装置において、
前記手技選択部は、前記選択記号の選択順序が互いに異なる第１手技選択部および第２手技選択部を含むこと
を特徴とするマッサージ機の操作装置。
【請求項３】
請求項１または２に記載のマッサージ機の操作装置において、
前記選択記号に対応する前記手技を前記マッサージ機の動作に反映するための手技決定部を含むこと
を特徴とするマッサージ機の操作装置。
【請求項４】
請求項１〜３のいずれか一項に記載のマッサージ機の操作装置において、
前記複数の手技の少なくとも１つは選択可能な複数の動作を有すること、
ならびに、前記複数の動作を有する１つの手技を特定手技として、前記表示部は、前記特定手技に対応する前記手技記号の一部を変更することにより前記複数の動作の少なくとも１つを表示すること
を特徴とするマッサージ機の操作装置。
【請求項５】
請求項１〜４のいずれか一項に記載のマッサージ機の操作装置において、
前記表示部は、前記マッサージ機の動作に反映される手技の前記手技記号および前記選択記号の少なくとも一方を視覚的に報知すること
を特徴とするマッサージ機の操作装置。
【請求項６】
請求項１〜５のいずれか一項に記載のマッサージ機の操作装置において、
前記表示部は、前記マッサージ機の使用履歴に応じて前記選択記号の表示順序を変更すること
を特徴とするマッサージ機の操作装置。
【発明の詳細な説明】
【技術分野】
【０００１】
本発明は、複数の手技を組み合わせて動作する機能を有するマッサージ機の操作装置に関する。
【背景技術】
【０００２】
特許文献１のマッサージ機の操作装置は、複数の手技のそれぞれに対応する複数の操作部を有する。
【先行技術文献】
【特許文献】
【０００３】
【特許文献１】特開昭６４−４６４５７号公報
【発明の概要】
【発明が解決しようとする課題】
【０００４】
上記操作装置のユーザーは、複数の手技を組み合わせてマッサージ機を動作させるとき、希望する手技に対応する複数の操作部を操作する必要がある。このため、操作が煩雑になる。
【０００５】
本発明は、上記課題を解決するためになされたものであり、容易に操作することができるマッサージ機の操作装置を提供することを目的としている。
【課題を解決するための手段】
【０００６】
・本発明のマッサージ機の操作装置は、複数の手技を組み合わせて動作する機能を有するマッサージ機の操作装置において、前記複数の手技のそれぞれに対応する複数の手技記号を有し、かつこの複数の手技記号を表示する表示部を含むこと、前記複数の手技記号の１つを選択する手技選択部を含むこと、ならびに、前記複数の手技のうちの組み合わせが可能な手技の組を手技組とし、前記手技選択部が選択する前記手技記号を選択記号とし、前記選択記号に対応する前記手技を含む前記手技組の１つを選択手技組として、前記表示部は、前記選択手技組を構成する１または複数の前記選択記号を第１表示状態により表示し、前記選択手技組を構成しない１または複数の前記選択記号を第２表示状態とすることを特徴としている。
【０００７】
・このマッサージ機の操作装置は、前記手技選択部は、前記選択記号の選択順序が互いに異なる第１手技選択部および第２手技選択部を含むことが好ましい。
・このマッサージ機の操作装置は、前記選択記号に対応する前記手技を前記マッサージ機の動作に反映するための手技決定部を含むことが好ましい。
【０００８】
・このマッサージ機の操作装置は、前記複数の手技の少なくとも１つは選択可能な複数の動作を有すること、ならびに、前記複数の動作を有する１つの手技を特定手技として、前記表示部は、前記特定手技に対応する前記手技記号の一部を変更することにより前記複数の動作の少なくとも１つを表示することが好ましい。
【０００９】
・このマッサージ機の操作装置は、前記表示部は、前記マッサージ機の動作に反映される手技の前記手技記号および前記選択記号の少なくとも一方を視覚的に報知することが好ましい。
【００１０】
・このマッサージ機の操作装置は、前記表示部は、前記マッサージ機の使用履歴に応じて前記選択記号の表示順序を変更することが好ましい。
【発明の効果】
【００１１】
本発明は、容易に操作することができるマッサージ機の操作装置を提供する。
【図面の簡単な説明】
【００１２】
【図１】本発明の一実施形態のマッサージ機について、その斜視構造を示す斜視図。
【図２】同実施形態のマッサージ機について、その電気的な構成を示すブロック図。
【図３】同実施形態のマッサージ機のコントローラーについて、その正面構造を示す正面図。
【図４】同実施形態のマッサージ機のコントローラーについて、表示部に表示されるアイコンと手技との関係を示すテーブル。
【図５】同実施形態のマッサージ機のコントローラーについて、表示部に表示されるアイコンとマッサージ動作との関係を示すテーブル。
【図６】同実施形態のマッサージ機のコントローラーについて、右選択ボタンが押されたときの表示部の表示内容の変化を示す正面図。
【図７】同実施形態のマッサージ機のコントローラーについて、決定ボタンが押されたときの表示部の表示状態を示す正面図。
【発明を実施するための形態】
【００１３】
図１を参照して、マッサージ機１の構成について説明する。
マッサージ機１は、ユーザーが着座する椅子１０と、各種装置の動作を制御する制御部５０と、ユーザーが椅子１０の動作およびマッサージの方法等を指定するためのコントローラー６０とを備える。なお、制御部５０およびコントローラー６０は「操作装置」に相当する。
【００１４】
椅子１０は、体幹を支持する背もたれ１１および座部１２と、肘を支持するための肘掛け１３と、背中および肩をマッサージするマッサージ装置２０と、脚のマッサージ機能を有するオットマン３０とを備える。またこの他に、背もたれ１１の角度を変更するリクライニング装置４０を備える。
【００１５】
マッサージ装置２０は、ユーザーに押し付けられた状態で背中等をマッサージする一対の揉み玉２１を備える。オットマン３０は、ユーザーの脚を圧迫してマッサージするエアバッグ３１を備える。
【００１６】
図２を参照して、マッサージ機１の電気的構成について説明する。
コントローラー６０は、ユーザーが操作するための操作部７０およびユーザーに各種情報を報知するための表示部８０を備える。
【００１７】
制御部５０は、操作部７０から受信した信号に基づいて表示部８０に表示する内容を変更する。また、操作部７０から受信した信号に基づいて、マッサージ装置２０、オットマン３０、およびリクライニング装置４０の動作を制御する。
【００１８】
図３を参照して、コントローラー６０の構成について説明する。なお、図３においては、表示部８０の手技表示部８２の全てのピクトグラムが点灯している状態を示している。また、以下の説明において、マッサージ機１、背もたれ１１、マッサージ装置２０、オットマン３０、およびリクライニング装置４０は、それぞれ図１に記載されたものを示している。
【００１９】
操作部７０は、複数の操作ボタンすなわち、電源ボタン７１、コースボタン７２、私流ボタン７３、お好みボタン７４、選択ボタン７５、決定ボタン７６、脚マッサージボタン７７、およびリクライニングボタン７８を備える。
【００２０】
各操作ボタン７１〜７８は、以下の機能を有する。
（Ａ）電源ボタン７１は、マッサージ機１の電源のオンまたはオフを変更する。
（Ｂ）コースボタン７２は、マッサージ装置２０のコースモードを選択する。
（Ｃ）私流ボタン７３は、マッサージ装置２０の私流モードを選択する。
（Ｄ）お好みボタン７４は、マッサージ装置２０のお好みモードを選択する。
（Ｅ）選択ボタン７５は、表示部８０に表示する内容を変更する。
（Ｆ）決定ボタン７６は、選択した動作をマッサージ機１の動作に反映する。
（Ｇ）脚マッサージボタン７７は、エアバッグ３１の動作を指定する。
（Ｈ）リクライニングボタン７８は、リクライニング装置４０の動作を指定する。
【００２１】
選択ボタン７５は、決定ボタン７６のまわりに配置された４つのボタン、すなわち右選択ボタン７５Ｒ、左選択ボタン７５Ｌ、上選択ボタン７５Ｕ、および下選択ボタン７５Ｄを備える。なお、決定ボタン７６は「手技決定部」に相当する。また、右選択ボタン７５Ｒは「第１手技選択部」および「手技選択部」に相当する。また、左選択ボタン７５Ｌは「第２手技選択部」および「手技選択部」に相当する。
【００２２】
表示部８０は、マッサージ装置２０の動作状態等を表示する状態表示部８１と、複数の手技のそれぞれに対応したアイコン等を表示する手技表示部８２とを備える。また表示部８０としては、液晶ディスプレイが用いられている。
【００２３】
状態表示部８１は、背もたれ１１の動作状態を模式的に示すマッサージ機１の概観図、オットマン３０の動作状態を示す文字情報、およびマッサージ装置２０のマッサージモードを示す文字情報を表示する。
【００２４】
手技表示部８２は、マッサージ装置２０により実行可能な複数の手技に対応した複数のアイコン、すなわち指圧アイコン８３、掴み揉みアイコン８４、揉みアイコン８５、叩きアイコン８６、およびローリングアイコン８７を備える。またこの他に、各アイコン８３〜８７の左側に表示される矢印８８のピクトグラムと、各アイコン８３〜８７の周囲に表示される外枠８９のピクトグラムとを備える。なお、アイコン８３〜８７は「手技記号」に相当する。
【００２５】
図３を参照して、マッサージモードについて説明する。
マッサージ機１は、３つのマッサージモード、すなわちコースモード、私流モード、およびお好みモードを備える。コースモードは、予め用意されている複数の手技を組み合わせた複数のコースのうち、ユーザーにより指定されたコースを実行する。私流モードは、予め用意されている複数の手技の組み合わせにおいて、ユーザーからの指定に応じて手技の動作時間および強さを変更する。お好みモードは、マッサージ装置２０が実行可能な全ての手技のうち、ユーザーにより指定された複数の手技を組み合わせて実行する。
【００２６】
各マッサージモードは、以下の流れで実行される。
（Ａ）ユーザーは、コースモードの実行を希望するとき、コントローラー６０のコースボタン７２を押す。コントローラー６０は、コースボタン７２が押されたとき、コースモードの実行を要求する信号を制御部５０に送信する。制御部５０は、同信号を受信したとき、コースモードを開始する。ユーザーは、コントローラー６０の操作により、希望するコースを指定する。制御部５０は、コントローラー６０の操作により指定されたコースに応じて、マッサージ装置２０を制御する。
【００２７】
（Ｂ）ユーザーは、私流モードの実行を希望するとき、コントローラー６０の私流ボタン７３を押す。コントローラー６０は、私流ボタン７３が押されたとき、私流モードの実行を要求する信号を制御部５０に送信する。制御部５０は、同信号を受信したとき、私流モードを開始する。ユーザーは、コントローラー６０の操作により、希望する手技の動作時間および強さを指定する。制御部５０は、コントローラー６０の操作により指定された手技の動作時間および強さに応じて、マッサージ装置２０を制御する。
【００２８】
（Ｃ）ユーザーは、お好みモードの実行を希望するとき、コントローラー６０のお好みボタン７４を押す。コントローラー６０は、お好みボタン７４が押されたとき、お好みモードの開始を要求する信号を制御部５０に送信する。制御部５０は、同信号を受信したとき、お好みモードを開始する。ユーザーは、コントローラー６０の操作により、希望する手技の組み合わせを指定する。制御部５０は、コントローラー６０の操作により指定された手技の組み合わせに応じて、マッサージ装置２０を制御する。
【００２９】
図１および図４を参照して、マッサージ装置２０の手技について説明する。
マッサージ装置２０は、５つの手技すなわち、指圧手技、掴み揉み手技、揉み手技、叩き手技、およびローリング手技を行う。各手技は、揉み玉２１の動作を変化させることにより実現される。各手技に関連する揉み玉２１の動作は、揉み玉２１の動作速度、ユーザーに対する揉み玉２１の押付力、揉み玉２１の動作範囲、各揉み玉２１間の距離、揉み玉２１の押し付け部位等を含む。
【００３０】
マッサージ装置２０は、ユーザーにより指圧手技が指定されたとき、指圧手技に対応するマッサージ動作（以下、「指圧動作」）により揉み玉２１を動作させる。また、ユーザーにより掴み揉み手技が指定されたとき、掴み揉み手技に対応するマッサージ動作（以下、「掴み揉み動作」）により揉み玉２１を動作させる。また、ユーザーにより揉み手技が指定されたとき、揉み手技に対応するマッサージ動作（以下、「揉み動作」）により揉み玉２１を動作させる。また、ユーザーによりローリング手技が指定されたとき、ローリング手技に対応するマッサージ動作（以下、「ローリング動作」）により揉み玉２１を動作させる。またユーザーは、揉み手技、叩き手技、およびローリング手技において、詳細なマッサージ動作を選択することができる。なお、揉み手技、叩き手技、およびローリング手技は「特定手技」に相当する。
【００３１】
マッサージ装置２０は、複数の手技を組み合わせた動作を実行することができる。ただし、揉み玉２１の動作は、上記のとおり各手技に応じて異なるため、組み合わせて動作することができない手技の関係が存在する。なお、複数の手技を組み合わせた動作とは、一定の期間内において複数の手技を順に実行する動作を示す。
【００３２】
そこで、お好みモードは、組み合わせが可能な手技の組み合わせをユーザーに報知するため、組み合わせが可能な手技の組み合わせを「手技組」として予め備える。また、手技組として３つの手技組すなわち、第１手技組、第２手技組、および第３手技組を備える。制御部５０は、お好みモードの実行中において各手技組を表示部８０に表示する。
（Ａ）第１手技組は、指圧手技および叩き手技により構成される。
（Ｂ）第２手技組は、掴み揉動作および叩き手技により構成される。
（Ｃ）第３手技組は、揉み手技、叩き手技、およびローリング手技により構成される。
【００３３】
図５を参照して、マッサージ装置２０のマッサージ動作について説明する。
各手技は、それぞれ次のマッサージ動作を備える。
（Ａ）揉み手技は、揉み下げに対応したマッサージ動作（以下、「揉み下げ動作」）と、揉み上げに対応したマッサージ動作（以下、「揉み上げ動作」）とを備える。
（Ｂ）叩き手技は、強い叩き動作に対応したマッサージ動作（以下、「強叩き動作」）と、弱い叩きに対応したマッサージ動作（以下、「弱叩き動作」）とを備える。
（Ｃ）ローリング手技は、広い範囲のローリング動作に対応した動作（以下、「広範囲ローリング動作」）と、狭い範囲のローリング動作に対応した動作（以下、「狭範囲ローリング動作」）とを備える。
【００３４】
各アイコン８３〜８７とマッサージ動作との関係について説明する。
指圧アイコン８３は、指圧動作に対応している。掴み揉みアイコン８４は、掴み揉み動作に対応している。揉みアイコン８５は、揉み下げ動作および揉み上げ動作に対応している。叩きアイコン８６は、強叩き動作および弱叩き動作に対応している。ローリングアイコン８７は、広範囲ローリング動作および狭範囲ローリング動作に対応している。
【００３５】
指圧アイコン８３および掴み揉みアイコン８４は、単一のピクトグラムにより構成されている。揉みアイコン８５、叩きアイコン８６、およびローリングアイコン８７は、複数のピクトグラムにより構成されている。
【００３６】
各アイコン８５〜８７のピクトグラムに関する詳細な構成を以下に示す。
（Ａ）揉みアイコン８５は、揉みピクト８５Ａ、下げピクト８５Ｂ、および上げピクト８５Ｃにより構成されている。そして、揉みピクト８５Ａおよび下げピクト８５Ｂが点灯し、かつ上げピクト８５Ｃが消灯しているとき、揉みアイコン８５は揉み下げ動作に対応する。一方、揉みピクト８５Ａおよび上げピクト８５Ｃが点灯し、かつ下げピクト８５Ｂが消灯しているとき、揉みアイコン８５は揉み上げ動作に対応する。
【００３７】
（Ｂ）叩きアイコン８６は、叩きピクト８５Ａ、強ピクト８６Ｂ、および弱ピクト８６Ｃにより構成されている。そして、叩きピクト８６Ａおよび強ピクト８６Ｂが点灯し、かつ弱ピクト８６Ｃが消灯しているとき、叩きアイコン８６は強叩き動作に対応する。一方、叩きピクト８６Ａおよび弱ピクト８６Ｃが点灯し、かつ強ピクト８６Ｂが消灯しているとき、叩きアイコン８６は弱叩き動作に対応する。
【００３８】
（Ｃ）ローリングアイコン８７は、ローリングピクト８７Ａ、広範囲ピクト８７Ｂ、および狭範囲ピクト８７Ｃにより構成されている。そして、ローリングピクト８７Ａおよび広範囲ピクト８７Ｂが点灯し、かつ狭範囲ピクト８７Ｃが消灯しているとき、ローリングアイコン８７は広範囲ローリング動作に対応する。一方、ローリングピクト８７Ａおよび狭範囲ピクト８７Ｃが点灯し、かつ広範囲ピクト８７Ｂが消灯しているとき、ローリングアイコン８７は狭範囲ローリング動作に対応する。
【００３９】
図６を参照して、お好みモードにおける表示部８０の動作について説明する。なお、以下の説明は、図３の電源ボタン７１の操作によりマッサージ機１の電源がオンの状態を前提としている。
【００４０】
図１の制御部５０は、お好みボタン７４、右選択ボタン７５Ｒ、および左選択ボタン７５Ｌの操作に応じて、以下の規則に従い手技表示部８２の表示内容を変更する。
（規則１）制御部５０は、マッサージ機１の電源がオフからオンに変更された後の最初にお好みボタン７４が押されたとき、図６（ａ）の組表示Ａを表示する。
（規則２）制御部５０は、組表示Ａを表示している状態において、右選択ボタン７５Ｒが押されたとき、図６（ｂ）の組表示Ｂを表示する。また、その後に右選択ボタン７５Ｒが押される毎に、図６（ｃ）の組表示Ｃ、図６（ｄ）の組表示Ｄ、図６（ｅ）の組表示Ｅ、図６（ｆ）の組表示Ｆ、図６（ｇ）の組表示Ｇ、および図６（ｈ）の組表示Ｈの順に表示内容を変更する。
（規則３）制御部５０は、組表示Ｈを表示している状態において、右選択ボタン７５Ｒが押されたとき、再び組表示Ａを表示する。
（規則４）制御部５０は、組表示Ａ〜組表示Ｈのいずれかを表示している状態において、左選択ボタン７５Ｌが押されたとき、右選択ボタン７５Ｒが押されたときとは反対の順で手技表示部８２の表示内容を変更する。
【００４１】
表示部８０は、組表示Ａ〜組表示Ｈにおいて、以下の２種類の表示を行う。
（Ａ）アイコン８３〜８７のうちの選択中のアイコン（以下、「選択アイコン」）の隣に矢印８８を表示することにより、選択アイコンをユーザーに対して視覚的に報知する。なお、「選択アイコン」は「選択記号」に相当する。
【００４２】
（Ｂ）第１手技組〜第３手技組のうちの選択手技を含む１つの手技組を構成する手技のアイコン８３〜８７を点灯し、かつこの手技組を構成しない手技のアイコン８３〜８７を消灯する。なお、各アイコン８３〜８７の点灯状態は「第１表示状態」に相当する。また、各アイコン８３〜８７の消灯状態は「第２表示状態」に相当する。
【００４３】
組表示Ａ〜組表示Ｈは、具体的には以下の表示内容を備える。
（１）制御部５０は、手技表示部８２に組表示Ａを表示するとき、第１手技組を構成する手技に対応するアイコン、すなわち指圧アイコン８３および叩きアイコン８６を点灯する。また、第１手技組を構成しない手技に対応するアイコン、すなわち掴み揉みアイコン８４、揉みアイコン８５、およびローリングアイコン８７を消灯する。また、指圧アイコン８３の隣の矢印８８を点灯し、指圧アイコン８３を選択アイコンとして示す。なお、組表示Ａにおける第１手技組は「選択手技組」に相当する。
【００４４】
（２）制御部５０は、手技表示部８２に組表示Ｂを表示するとき、第２手技組を構成する手技に対応するアイコン、すなわち掴み揉みアイコン８４および叩きアイコン８６を点灯する。また、第２手技組を構成しない手技に対応するアイコン、すなわち指圧アイコン８３、揉みアイコン８５、およびローリングアイコン８７を消灯する。また、掴み揉みアイコン８４の隣の矢印８８を点灯し、掴み揉みアイコン８４を選択アイコンとして示す。なお、組表示Ｂにおける第２手技組は「選択手技組」に相当する。
【００４５】
（３）制御部５０は、手技表示部８２に組表示Ｃを表示するとき、第３手技組を構成する手技に対応するアイコン、すなわち揉み下げに対応する揉みアイコン８５、叩きアイコン８６、およびローリングアイコン８７を点灯する。また、第３手技組を構成しない手技に対応するアイコン、すなわち指圧アイコン８３および掴み揉みアイコン８４を消灯する。また、揉みアイコン８５の隣の矢印８８を点灯し、揉みアイコン８５を選択アイコンとして示す。なお、組表示Ｃにおける第３手技組は「選択手技組」に相当する。
【００４６】
（４）制御部５０は、手技表示部８２に組表示Ｄを表示するとき、第３手技組を構成する手技に対応するアイコン、すなわち揉み上げ動作に対応する揉みアイコン８５、叩きアイコン８６、およびローリングアイコン８７を点灯する。また、第３手技組を構成しない手技に対応するアイコン、すなわち指圧アイコン８３および掴み揉みアイコン８４を消灯する。また、揉みアイコン８５の隣の矢印８８を点灯し、揉みアイコン８５を選択アイコンとして示す。なお、組表示Ｄにおける第３手技組は「選択手技組」に相当する。
【００４７】
（５）制御部５０は、手技表示部８２に組表示Ｅを表示するとき、第３手技組を構成する手技に対応するアイコン、すなわち揉みアイコン８５、強叩き動作に対応する叩きアイコン８６、およびローリングアイコン８７を点灯する。また、第３手技組を構成しない手技に対応するアイコン、すなわち指圧アイコン８３および掴み揉みアイコン８４を消灯する。また、叩きアイコン８６の隣の矢印８８を点灯し、叩きアイコン８６を選択アイコンとして示す。なお、組表示Ｅにおける第３手技組は「選択手技組」に相当する。
【００４８】
（６）制御部５０は、手技表示部８２に組表示Ｆを表示するとき、第３手技組を構成する手技に対応するアイコン、すなわち揉みアイコン８５、弱叩き動作に対応する叩きアイコン８６、およびローリングアイコン８７を点灯する。また、第３手技組を構成しない手技に対応するアイコン、すなわち指圧アイコン８３および掴み揉みアイコン８４を消灯する。また、叩きアイコン８６の隣の矢印８８を点灯し、叩きアイコン８６を選択アイコンとして示す。なお、組表示Ｆにおける第３手技組は「選択手技組」に相当する。
【００４９】
（７）制御部５０は、手技表示部８２に組表示Ｇを表示するとき、第３手技組を構成する手技に対応するアイコン、すなわち揉みアイコン８５、叩きアイコン８６、および広範囲ローリング動作に対応するローリングアイコン８７を点灯する。また、第３手技組を構成しない手技に対応するアイコン、すなわち指圧アイコン８３および掴み揉みアイコン８４を消灯する。また、ローリングアイコン８７の隣の矢印８８を点灯し、ローリングアイコン８７を選択アイコンとして示す。なお、組表示Ｇにおける第３手技組は「選択手技組」に相当する。
【００５０】
（８）制御部５０は、手技表示部８２に組表示Ｈを表示するとき、第３手技組を構成する手技に対応するアイコン、すなわち揉みアイコン８５、叩きアイコン８６、および狭範囲ローリング動作に対応するローリングアイコン８７を点灯する。また、第３手技組を構成しない手技に対応するアイコン、すなわち指圧アイコン８３および掴み揉みアイコン８４を消灯する。また、ローリングアイコン８７の隣の矢印８８を点灯し、ローリングアイコン８７を選択アイコンとして示す。なお、組表示Ｈにおける第３手技組は「選択手技組」に相当する。
【００５１】
ユーザーによる手技の組み合わせ方法について説明する。
ユーザーは、図１のマッサージ機１に対して複数の手技を実行させるとき、手技組を構成する手技から好みに応じた手技を指定する。具体的な手技の選択方法を以下に示す。
【００５２】
（Ａ）ユーザーは、手技表示部８２に第１手技組が表示されているとき、指圧手技および叩き手技の２つを選択することができる。また、指圧手技および叩き手技のいずれか一方を選択することもできる。
【００５３】
（Ｂ）ユーザーは、手技表示部８２に第２手技組が表示されているとき、掴み揉み手技および叩き手技の２つを選択することができる。また、掴み揉み手技および叩き手技のいずれか一方を選択することもできる。
【００５４】
（Ｃ）ユーザーは、手技表示部８２に第３手技組が表示されているとき、揉み手技、叩き手技、およびローリング手技の３つを選択することができる。また、揉み手技、叩き手技、およびローリング手技のうちの２つを選択することもできる。また、揉み手技、叩き手技、およびローリング手技のうちのいずれか１つを選択することもできる。
【００５５】
図７を参照して、手技の決定手順について説明する。
図１の制御部５０は、右選択ボタン７５Ｒ、左選択ボタン７５Ｌ、および決定ボタン７６の操作に応じて、以下の（規則１）〜（規則４）に従い手技表示部８２の表示内容を変更し、図１のマッサージ装置２０を制御する。
【００５６】
各アイコン８３〜８７は、選択アイコンの状態において決定ボタンが押されたとき、対応するマッサージ動作がマッサージ機１の動作に反映されることを示す「決定アイコン」の属性が付加される。決定アイコンの属性が付加された各アイコン８３〜８７は、対応する外枠８９が点灯した状態を備える。
【００５７】
各規則の内容の詳細を以下に示す。
（規則１）制御部５０は、決定ボタン７６が押されたとき、選択アイコンに外枠８９を点灯することにより、選択アイコンを決定アイコンとして示す。また、選択アイコンに対応するマッサージ動作の実行が要求されていることを示す信号をマッサージ装置２０に送信する。
【００５８】
（規則２）制御部５０は、選択アイコンが決定アイコンの状態において、決定ボタン７６が押されたとき、選択アイコンの外枠８９を消灯する。また、選択アイコンに対応するマッサージ動作の実行の要求が解除されたことを示す信号をマッサージ装置２０に送信する。
【００５９】
（規則３）制御部５０は、少なくとも１つのアイコン８３〜８７が決定アイコンの状態において、右選択ボタン７５Ｒが押されたとき、表示中の選択手技組を維持した状態で選択アイコンを変更する。または、選択アイコンに対応するマッサージ動作の表示を変更する。なお、決定アイコンが表示されているとき、右選択ボタン７５Ｒまたは左選択ボタン７５Ｌが押されても決定アイコンに対応するマッサージ動作の表示は変更されない。例えば、強叩き動作に対応する叩きアイコン８６が決定アイコンのとき、右選択ボタン７５Ｒまたは左選択ボタン７５Ｌが押されても弱叩き動作に対応する叩きアイコン８６に変更されない。
【００６０】
（規則４）制御部５０は、少なくとも１つのアイコン８３〜８７が決定アイコンの状態において、左選択ボタン７５Ｌが押されたとき、右選択ボタン７５Ｒが押されたときとは反対の順序で選択アイコンを変更する。または、右選択ボタン７５Ｒが押されたときとは反対の順序で選択アイコンに対応する動作の表示を変更する。なお、選択アイコンの変更または動作の表示の変更は、表示中の選択手技組を維持した状態で行われる。
【００６１】
図７を参照して、手技表示部８２が組表示Ｄを表示しているとき、かつ揉み手技および叩き手技を指定してマッサージ機１を動作させるときのユーザーの操作手順について説明する。なお、手技表示部８２が組表示Ａ〜組表示Ｃおよび組表示Ｆ〜組表示Ｈを表示している場合において、各手技組のうちの好みの手技を指定して動作させるときにも、以下の説明に準じた手順で手技が決定される。
【００６２】
（手順Ａ）ユーザーは、組表示Ｄが表示されている状態（図７（ａ）参照）、すなわち揉み上げ動作に対応する揉みアイコン８５が選択アイコンのとき、決定ボタン７６を押す。制御部５０は、決定ボタン７６が押されたとき、揉み上げ動作を実行する。また、揉みアイコン８５に外枠８９を表示することにより、揉みアイコン８５を決定アイコンとして示す（図７（ｂ）参照）。
【００６３】
（手順Ｂ）ユーザーは、右選択ボタン７５Ｒを押す。制御部５０は、右選択ボタン７５Ｒが押されたとき、選択アイコンを揉み上げ動作に対応する揉みアイコン８５から強叩き動作に対応する叩きアイコン８６に変更する（図７（ｃ）参照）。
【００６４】
（手順Ｃ）ユーザーは、強叩き動作に対応する叩きアイコン８６が選択アイコンのとき、決定ボタン７６を押す。制御部５０は、決定ボタン７６が押されたとき、揉み上げ動作と強叩き動作とを組み合わせて実行する。また、叩きアイコン８６に外枠８９を表示することにより、叩きアイコン８６を決定アイコンとして示す（図７（ｄ）参照）。
【００６５】
決定アイコンの解除手順について説明する。以下では、揉み上げ動作および強叩き動作を組み合わせて実行している状態において、強叩き動作を解除するときのユーザーの操作手順の一例を示している。
【００６６】
ユーザーは、叩きアイコン８６が選択アイコンかつ決定アイコンの状態（図７（ｄ）参照）において、決定ボタン７６を押す。制御部５０は、決定ボタン７６が押されたとき、強叩き動作の実行の停止を指示する信号をマッサージ装置２０に送信する。また、叩きアイコン８６の外周の外枠８９を消灯すことにより、決定アイコンとしての叩きアイコン８６の表示を解除する。
（図７（ｃ）参照）。
【００６７】
（実施形態の効果）
本実施形態のマッサージ機１は以下の効果を奏する。
（１）マッサージ機１は、選択アイコンを変更する右選択ボタン７５Ｒおよび左選択ボタン７５Ｌを有する。この構成によれば、右選択ボタン７５Ｒまたは左選択ボタン７５Ｌの一方のみを操作することにより、選択アイコンを変更することができる。このため、複数の手技に対応する複数の選択ボタンを有する構成と比較して、ユーザーがコントローラー６０を容易に操作することができる。
【００６８】
また、手技毎に選択ボタンを備える仮想のコントローラーを想定した場合、ユーザーは、手技を組み合わせて動作するとき、複数の選択ボタンのなかから組み合わせを希望する手技に対応する選択ボタンを押す必要がある。このため、各選択ボタンの位置を記憶していない場合には、希望する組み合わせの手技を速やかに開始することが難しい。これに対してコントローラー６０は右選択ボタン７５Ｒまたは左選択ボタン７５Ｌのみで手技を選択することができるため、ユーザーが選択ボタンの位置を記憶していない場合であっても希望する組み合わせの手技を速やかに開始することができる。
【００６９】
（２）表示部８０は、１つの選択手技組を構成する１または複数の手技のアイコン８３〜８７を点灯状態とし、かつ選択手技組に含まれない１または複数の手技のアイコン８３〜８７を消灯状態とする。この構成によれば、ユーザーが選択手技組に含まれる手技を容易に視認することができる。
【００７０】
（３）操作部７０は、選択アイコンを正順で変更する右選択ボタン７５Ｒと、選択アイコンを逆順で変更する左選択ボタン７５Ｌを有する。この構成によれば、少ないボタン操作で希望する手技を選択できる機会が得られやすくなる。
【００７１】
（４）表示部８０は、揉みアイコン８５の下げピクト８５Ｂまたは上げピクト８５Ｃを非表示にすることにより、揉み動作の詳細な動作を表示する。すなわち、揉みアイコン８５の一部を変更することにより、揉み動作の詳細な動作を表示する。この構成によれば、揉み下げおよび揉み上げのそれぞれに対応する２つの揉みアイコンを有する構成と比較して、アイコンの数が少なくなる。
【００７２】
（５）表示部８０は、叩きアイコン８６の強ピクト８６Ｂまたは弱ピクト８６Ｃを非表示にすることにより、叩き動作の詳細な動作を表示する。すなわち、叩きアイコン８６の一部を変更することにより、叩き動作の詳細な動作を表示する。この構成によれば、強叩きおよび弱叩きのそれぞれに対応する２つの叩きアイコンを有する構成と比較して、アイコンの数が少なくなる。
【００７３】
（６）表示部８０は、ローリングアイコン８７の広範囲ピクト８７Ｂまたは狭範囲ピクト８７Ｃを非表示にすることにより、叩き動作の詳細な動作を表示する。すなわち、ローリングアイコン８７の一部を変更することにより、ローリング動作の詳細な動作を表示する。この構成によれば、広範囲ローリングおよび狭範囲ローリングのそれぞれに対応する２つのローリングアイコンを有する構成と比較して、アイコンの数が少なくなる。
【００７４】
（７）表示部８０は、アイコン８３〜８７のうちの選択アイコンの隣に矢印８８を表示する。また、アイコン８３〜８７のうちの決定アイコンに外枠８９を表示する。この構成によれば、ユーザーが選択アイコンおよび決定アイコンを視認することができる。
【００７５】
（その他の実施形態）
本発明は、上記実施形態以外の実施形態を含む。以下、本発明のその他の実施形態としての上記実施形態の変形例を示す。なお、以下の各変形例は、互いに組み合わせることもできる。
【００７６】
・上記実施形態（図３）の操作部７０は、手技選択部として右選択ボタン７５Ｒおよび左選択ボタン７５Ｌを有する。一方、変形例の操作部７０は、以下の（Ａ）および（Ｂ）の少なくとも一方の構成を有する。
【００７７】
（Ａ）変形例の操作部７０は、右選択ボタン７５Ｒおよび左選択ボタン７５Ｌに代えてまたは加えて、ジョイスティックから構成される手技選択部を有する。手技選択部は、ジョイスティックが所定の方向に倒される動作に応じて、選択アイコンを変更する。
【００７８】
（Ｂ）変形例の操作部７０は、右選択ボタン７５Ｒおよび左選択ボタン７５Ｌに代えてまたは加えて、上選択ボタン７５Ｕおよび下選択ボタン７５Ｄの少なくとも一方を手技選択部として機能させる。
【００７９】
・上記実施形態（図３）の操作部７０は、お好みモードに対応する２つの選択ボタン（右選択ボタン７５Ｒおよび左選択ボタン７５Ｌ）を有する。一方、変形例の操作部７０は、右選択ボタン７５Ｒおよび左選択ボタン７５Ｌの一方のみを有する。
【００８０】
・上記実施形態（図３）の操作部７０は、決定ボタン７６を有する。一方、変形例の操作部７０は、決定ボタン７６を省略している。また、決定ボタン７６に準じた機能を有する構成として次の構成を備える。すなわち、右選択ボタン７５Ｒまたは左選択ボタン７５Ｌが長押しされたとき、選択アイコンに対応する手技をマッサージ装置２０の動作に反映する。
【００８１】
・上記実施形態（図３）の表示部８０は、選択アイコンが決定アイコンの状態かつ決定ボタン７６が押されたとき、選択アイコンの外枠８９を消灯する。一方、変形例の表示部８０は、決定ボタン７６の操作による選択アイコンの外枠８９の消灯機能に代えてまたは加えて、決定アイコンを解除するための解除ボタンを有する。そして、選択アイコンが決定アイコンの状態かつ解除ボタンが押されたとき、選択アイコンの外枠８９を消灯する。
【００８２】
・上記実施形態（図３）の表示部８０は、各アイコン８３〜８７により各手技を表示する。一方、変形例の表示部８０は、各アイコン８３〜８７に代えてまたは加えて、各手技の少なくとも１つを文字により表示する。なお、この場合の文字は「手技記号」に相当する。
【００８３】
・上記実施形態（図３）の表示部８０は、お好みボタン７４が押されたときにお好みモードを選択し、かつ手技表示部８２に組表示Ａを表示する。一方、変形例の表示部８０は、お好みボタン７４の操作に応じてお好みモードを選択する機能に代えてまたは加えて、次の構成を備える。すなわち、電源ボタン７１の投入後かつモードが選択されていない状態において、右選択ボタン７５Ｒまたは左選択ボタン７５Ｌが押されたとき、お好みモードを選択し、かつ手技表示部８２に組表示Ａを表示する。
【００８４】
・上記実施形態（図６）の表示部８０は、選択手技組を構成する手技に対応するアイコン８３〜８７を点灯し、選択手技組を構成しない手技に対応するアイコン８３〜８７を消灯する。一方、変形例の表示部８０は、以下の（Ａ）〜（Ｃ）のいずれかの方法により選択手技組を構成する手技に対応するアイコン８３〜８７を表示する。
【００８５】
（Ａ）変形例の表示部８０は、選択手技組を構成する手技に対応するアイコン８３〜８７を点灯し、選択手技組を構成しない手技に対応するアイコン８３〜８７を点滅させる。なお、この構成において、アイコン８３〜８７の点灯状態は「第１表示状態」に相当する。また、アイコン８３〜８７の点滅状態は「第２表示状態」に相当する。
【００８６】
（Ｂ）変形例の表示部８０は、選択手技組を構成する手技に対応するアイコン８３〜８７を第１の色で表示し、選択手技組を構成しない手技に対応するアイコン８３〜８７を第２の色で表示する。なお、この構成において、第１の色によるアイコン８３〜８７の表示状態は「第１表示状態」に相当する。また、第２の色によるアイコン８３〜８７の表示状態は「第２表示状態」に相当する。
【００８７】
（Ｃ）変形例の表示部８０は、選択手技組を構成する手技に対応するアイコン８３〜８７を点灯し、選択手技組を構成しない手技に対応するアイコン８３〜８７に対して、組み合わせ不可を意味するアイコン（例えば「×印」）を点灯する。なお、この構成において、アイコン８３〜８７の点灯状態は「第１表示状態」に相当する。また、組み合わせ不可を意味するアイコンの点灯状態は「第２表示状態」に相当する。
【００８８】
・上記実施形態（図６）の表示部８０は、選択アイコンの隣に矢印８８を表示して選択手技を視覚的に報知する。一方、変形例の表示部８０は、選択アイコンを点滅させることにより選択手技を視覚的に報知する。さらに別の変形例の表示部８０は、音声により選択手技を報知する。
【００８９】
・上記実施形態（図５）の表示部８０は、揉みアイコン８５を揉み下げ動作に対応させるとき、上げピクト８５Ｃを消灯する。一方、変形例の表示部８０は、揉みアイコン８５を揉み下げ動作に対応させるとき、上げピクト８５Ｃを点滅させる。この構成によれば、揉みアイコン８５が揉み下げ動作に対応しているとき、上げピクト８５Ｃが消灯しないため、ユーザーは、揉み上げ動作が存在することを視認することができる。
【００９０】
・上記実施形態（図５）の表示部８０は、揉みアイコン８５を揉み上げ動作に対応させるとき、下げピクト８５Ｂを消灯する。一方、変形例の表示部８０は、揉みアイコン８５を揉み上げ動作に対応させるとき、下げピクト８５Ｂを点滅させる。この構成によれば、揉みアイコン８５が揉み上げ動作に対応しているとき、下げピクト８５Ｂが消灯しないため、ユーザーは、揉み下げ動作が存在することを視認することができる。
【００９１】
・上記実施形態（図５）の表示部８０は、叩きアイコン８６を強叩き動作に対応させるとき、弱ピクト８６Ｃを消灯する。一方、変形例の表示部８０は、叩きアイコン８６を強叩き動作に対応させるとき、弱ピクト８６Ｃを点滅させる。この構成によれば、叩きアイコン８６が強叩き動作に対応しているとき、弱ピクト８６Ｃが消灯しないため、ユーザーは、弱叩き動作が存在することを視認することができる。
【００９２】
・上記実施形態（図５）の表示部８０は、叩きアイコン８６を弱叩き動作に対応させるとき、強ピクト８６Ｂを消灯する。一方、変形例の表示部８０は、叩きアイコン８６を弱叩き動作に対応させるとき、強ピクト８６Ｂを点滅させる。この構成によれば、叩きアイコン８６が弱叩き動作に対応しているとき、強ピクト８６Ｂが消灯しないため、ユーザーは、強叩き動作が存在することを視認することができる。
【００９３】
・上記実施形態（図５）の表示部８０は、ローリングアイコン８７を広範囲ローリング動作に対応させるとき、狭範囲ピクト８７Ｃを消灯する。一方、変形例の表示部８０は、ローリングアイコン８７を広範囲ローリング動作に対応させるとき、狭範囲ピクト８７Ｃを点滅させる。この構成によれば、ローリングアイコン８７が広範囲ローリング動作に対応しているとき、狭範囲ピクト８７Ｃが消灯しないため、ユーザーは、狭範囲ローリング動作が存在することを視認することができる。
【００９４】
・上記実施形態（図５）の表示部８０は、ローリングアイコン８７を狭範囲ローリング動作に対応させるとき、広範囲ピクト８７Ｂを消灯する。一方、変形例の表示部８０は、ローリングアイコン８７を狭範囲ローリング動作に対応させるとき、広範囲ピクト８７Ｂを点滅させる。この構成によれば、ローリングアイコン８７が狭範囲ローリング動作に対応しているとき、広範囲ピクト８７Ｂが消灯しないため、ユーザーは、広範囲ローリング動作が存在することを視認することができる。
【００９５】
・上記実施形態（図５）の表示部８０は、揉みアイコン８５、叩きアイコン８６、およびローリングアイコン８７の表示を一部変更することにより各手技のマッサージ動作を表示する。一方、変形例の表示部８０は、各マッサージ動作に対応するアイコンを有する。
【００９６】
・上記実施形態（図６）の表示部８０は、お好みボタン７４が押されるとき、予め定められた順序に従い選択アイコンの表示を変更する。一方、変形例の表示部８０は、お好みボタン７４が押されたとき、使用履歴に応じて選択アイコンの表示順序を決定する。例えば、お好みボタン７４が押されたとき、組表示Ａ〜組表示Ｈのうちの最後に選択されていたものを最初に表示する。この構成によれば、同一のユーザーがマッサージ機１を繰り返し使用するときの利便性が向上する。
【００９７】
・上記実施形態（図１）のマッサージ機１は、椅子１０の内部に制御部５０を有する。一方、変形例のマッサージ機１は、コントローラー６０の内部に制御部５０を有する。
・上記実施形態（図１）のマッサージ機１は、コントローラー６０と制御部５０との通信を有線により行う。一方、変形例のマッサージ機１は、コントローラー６０と制御部５０との通信を無線により行う。
【００９８】
・上記実施形態（図１）のマッサージ機１は、オットマン３０およびリクライニング装置４０を有する。一方、変形例のマッサージ機は、オットマン３０およびリクライニング装置４０の少なくとも一方を省略している。
【００９９】
・本発明は、上記実施形態に例示されるマッサージ機１の操作装置以外の他のマッサージ機の操作装置に適用することもできる。他のマッサージ機の操作装置としては、腕または脚をマッサージするための複数の手技の組み合わせが可能なマッサージ機が挙げられる。要するに、複数の手技を組み合わせて動作する機能を有するマッサージ機の操作装置であれば、いずれの操作装置に対しても本発明を適用することができる。
【符号の説明】
【０１００】
１…マッサージ機、５０…制御部、７５Ｒ…右選択ボタン（第１手技選択部、手技選択部）、７５Ｌ…左選択ボタン（第２手技選択部、手技選択部）、７６…決定ボタン（手技決定部）、８０…表示部、８３…指圧アイコン（手技記号）、８４…掴み揉みアイコン（手技記号）、８５…揉みアイコン（手技記号）、８６…叩きアイコン（手技記号）、８７…ローリングアイコン（手技記号）。
【図１】
2013066525.tif 000003
【図２】
2013066525.tif 000004
【図３】
2013066525.tif 000005
【図４】
2013066525.tif 000006
【図５】
2013066525.tif 000007
【図６】
2013066525.tif 000008
【図７】
2013066525.tif 000009
【手続補正書】
【提出日】平成23年11月9日(2011.11.9)
【手続補正１】
【補正対象書類名】特許請求の範囲
【補正対象項目名】請求項１
【補正方法】変更
【補正の内容】
【請求項１】
複数の手技を組み合わせて動作する機能を有するマッサージ機の操作装置において、
前記複数の手技のそれぞれに対応する複数の手技記号を有し、かつこの複数の手技記号を表示する表示部を含むこと、
前記複数の手技記号の１つを選択する手技選択部を含むこと、
ならびに、前記複数の手技のうちの組み合わせが可能な手技の組を手技組とし、前記手技選択部が選択する前記手技記号を選択記号とし、前記選択記号に対応する前記手技を含む前記手技組の１つを選択手技組として、前記表示部は、前記選択手技組を構成する１または複数の前記手技記号を第１表示状態により表示し、前記選択手技組を構成しない１または複数の前記手技記号を第２表示状態とすること
を特徴とするマッサージ機の操作装置。
【手続補正２】
【補正対象書類名】明細書
【補正対象項目名】０００６
【補正方法】変更
【補正の内容】
【０００６】
・本発明のマッサージ機の操作装置は、複数の手技を組み合わせて動作する機能を有するマッサージ機の操作装置において、前記複数の手技のそれぞれに対応する複数の手技記号を有し、かつこの複数の手技記号を表示する表示部を含むこと、前記複数の手技記号の１つを選択する手技選択部を含むこと、ならびに、前記複数の手技のうちの組み合わせが可能な手技の組を手技組とし、前記手技選択部が選択する前記手技記号を選択記号とし、前記選択記号に対応する前記手技を含む前記手技組の１つを選択手技組として、前記表示部は、前記選択手技組を構成する１または複数の前記手技記号を第１表示状態により表示し、前記選択手技組を構成しない１または複数の前記手技記号を第２表示状態とすることを特徴としている。